(57)【特許請求の範囲】
【請求項１】
電子新聞データベースに蓄積された電子新聞から、画面表示させる電子新聞の選択入力を端末を介して受け付け、
前記選択入力に対応する電子新聞を、前記電子新聞データベースの中から取得し、
前記取得された電子新聞において、画面表示させる表示領域を指定する指定入力を端末を介して受け付け、
前記表示領域に広告記事が含まれている場合には、この広告記事を識別し、
前記電子新聞のうち、前記表示領域に含まれる紙面部分を画面表示するが、前記表示領域に、前記識別された広告記事が、完全に含まれている場合には前記広告記事を前記表示領域に表示し、その一部しか含まれていない場合には前記広告記事のうち前記表示領域に含まれていない部分を画面表示しないようにマスクし、
前記識別された広告記事のうち、前記表示領域に完全に含まれている場合に画面表示された広告記事に関する表示記録を記憶装置に蓄積するようにした広告表示記録管理方法。
【請求項２】
電子新聞が蓄積された電子新聞データベースと、
前記電子新聞データベースに蓄積された電子新聞の中から、画面表示させる電子新聞の選択入力を受け付ける選択入力手段と、
前記選択入力手段に入力された選択入力に対応する電子新聞を、前記電子新聞データベースの中から取得する電子新聞取得手段と、
前記電子新聞取得手段によって取得された電子新聞において、画面表示させる表示領域を指定する指定入力を受け付ける指定入力手段と、
前記表示領域に広告記事が含まれている場合には、この広告記事を識別する広告識別手段と、
前記電子新聞取得手段によって取得された電子新聞のうち、前記表示領域に含まれる紙面部分を画面表示させるとともに、前記表示領域に、前記広告識別手段によって識別された広告記事が、完全に含まれている場合には前記広告記事を前記表示領域に表示し、その一部しか含まれていない場合には前記広告記事のうち前記表示領域に含まれていない部分を画面表示しないようにマスクする画面表示手段と、
前記広告識別手段によって識別された広告記事のうち、前記表示領域に完全に含まれている場合に前記画面表示手段によって画面表示された広告記事に関する表示記録を蓄積する表示記録蓄積手段と
を備えた電子新聞における広告表示記録管理システム。
【請求項３】
電子新聞データベースに蓄積された電子新聞から、画面表示させる電子新聞の選択入力を端末を介して受け付ける機能、
前記選択入力に対応する電子新聞を、前記電子新聞データベースの中から取得する機能、
前記取得された電子新聞において、画面表示させる表示領域を指定する指定入力を端末を介して受け付ける機能、
前記表示領域に広告記事が含まれている場合には、この広告記事を識別する機能、
前記電子新聞のうち、前記表示領域に含まれる紙面部分を画面表示するが、前記表示領域に、前記識別された広告記事が、完全に含まれている場合には前記広告記事を前記表示領域に表示し、その一部しか含まれていない場合には前記広告記事のうち前記表示領域に含まれていない部分を画面表示しないようにマスクする機能、
前記識別された広告記事のうち、前記表示領域に完全に含まれている場合に画面表示された広告記事に関する表示記録を記憶装置に蓄積する機能
をコンピュータに実現させるためのプログラム。
【発明の詳細な説明】
【０００１】
【発明の属する技術分野】
本発明は、例えばＣＤ−ＲＯＭなどの電子媒体に記録された電子新聞に掲載されている広告記事が表示された場合には、広告記事毎にその閲覧記録を蓄積する、電子新聞における広告表示記録管理方法および広告表示記録管理システムに関するものである。
【０００２】
【従来の技術】
新聞の縮刷版がＣＤ−ＲＯＭやサーバなどの記憶媒体に記憶されていることは周知である。利用者は、例えばＣＤ−ＲＯＭに記憶された新聞の縮刷版（例えば、「平成１３年○○新聞ＣＤ−ＲＯＭ版」など）をパソコン上に読み出したり、あるいはインターネットを介して新聞社のサーバにアクセスすることによって、過去に発行された新聞の内容を閲覧することができる。
【０００３】
新聞社側は、利用者からなされたアクセス履歴に基づいて、アクセス回数の多い新聞の発行月日を把握することができる。これによって、例えば、その年の重大ニュースなどを選ぶための統計資料として役立てることができる。
【０００４】
【発明が解決しようとする課題】
新聞紙面には、記事のみならず、広告も掲載されている。広告主である企業等にとっては、自分が出した広告がどれだけの効果があったか否かを知るためにも、これら広告がどの程度閲覧されたかを知ることは重要である。
【０００５】
しかしながら、従来の電子新聞における広告表示記録管理方法および広告表示記録管理システムでは、新聞紙面に掲載された広告が、縮刷版として、後日にどれだけ閲覧されたかの回数をカウントし、記録することはできない。
【０００６】
そのため、広告主である企業等は、過去に出した広告の効果がどの程度後日に閲覧されたかを知ることができないために、効果的な新聞広告の企画に反映することが困難であるという問題がある。
【０００７】
本発明はこのような事情に鑑みてなされたものであり、電子新聞上に掲載された広告が閲覧された場合には、この広告を識別し、この広告に関する閲覧記録を蓄積し、もって、効果的な新聞広告の企画に役立てることが可能な電子新聞における広告表示記録管理方法および広告表示記録管理システムを提供することを目的とする。
【０００８】
【課題を解決するための手段】
上記の目的を達成するために、本発明では、以下のような手段を講じる。
【０００９】
すなわち、請求項１の発明の電子新聞における広告表示記録管理方法は、電子新聞データベースに蓄積された電子新聞から、画面表示させる電子新聞の選択入力を端末を介して受け付け、選択入力に対応する電子新聞を、電子新聞データベースの中から取得し、取得された電子新聞において、画面表示させる表示領域を指定する指定入力を端末を介して受け付け、表示領域に広告記事が含まれている場合には、この広告記事を識別し、電子新聞のうち、表示領域に含まれる紙面部分を画面表示するが、表示領域に、識別された広告記事が、完全に含まれている場合には広告記事を表示領域に表示し、その一部しか含まれていない場合には広告記事のうち表示領域に含まれていない部分を画面表示しないようにマスクし、識別された広告記事のうち、表示領域に完全に含まれている場合に画面表示された広告記事に関する表示記録を記憶装置に蓄積する。
【００１０】
本願の請求項２の発明の電子新聞における広告表示記録管理システムは、電子新聞が蓄積された電子新聞データベースと、電子新聞データベースに蓄積された電子新聞の中から、画面表示させる電子新聞の選択入力を受け付ける選択入力手段と、選択入力手段に入力された選択入力に対応する電子新聞を、電子新聞データベースの中から取得する電子新聞取得手段と、電子新聞取得手段によって取得された電子新聞において、画面表示させる表示領域を指定する指定入力を受け付ける指定入力手段と、表示領域に広告記事が含まれている場合には、この広告記事を識別する広告識別手段と、電子新聞取得手段によって取得された電子新聞のうち、表示領域に含まれる紙面部分を画面表示させるとともに、表示領域に、広告識別手段によって識別された広告記事が、完全に含まれている場合には広告記事を表示領域に表示し、その一部しか含まれていない場合には広告記事のうち表示領域に含まれていない部分を画面表示しないようにマスクする画面表示手段と、広告識別手段によって識別された広告記事のうち、表示領域に完全に含まれている場合に画面表示手段によって画面表示された広告記事に関する表示記録を蓄積する表示記録蓄積手段とを備える。
更に、本願の請求項3の発明は、電子新聞データベースに蓄積された電子新聞から、画面表示させる電子新聞の選択入力を端末を介して受け付ける機能、選択入力に対応する電子新聞を、電子新聞データベースの中から取得する機能、取得された電子新聞において、画面表示させる表示領域を指定する指定入力を端末を介して受け付ける機能、表示領域に広告記事が含まれている場合には、この広告記事を識別する機能、電子新聞のうち、表示領域に含まれる紙面部分を画面表示するが、表示領域に、識別された広告記事が、完全に含まれている場合には広告記事を前記表示領域に表示し、その一部しか含まれていない場合には広告記事のうち表示領域に含まれていない部分を画面表示しないようにマスクする機能、識別された広告記事のうち、表示領域に完全に含まれている場合に画面表示された広告記事に関する表示記録を記憶装置に蓄積する機能をコンピュータに実現させるためのプログラムである。
【００１１】
従って、請求項１乃至３の発明においては、以上のような手段を講じることにより、電子新聞において、画面から広告が表示された場合には、広告別にその表示記録を蓄積することができる。したがって、蓄積された表示記録を参照することによって、どの広告がいつ表示されたかのみならず、その広告が掲載された新聞の発行日、紙面、朝刊／夕刊の別、紙面、掲載場所等をも把握することができるようになり、効果的な新聞広告の企画に役立てることが可能となる。
【００１２】
【発明の実施の形態】
以下に、本発明の各実施の形態について図面を参照しながら説明する。
【００１３】
本発明の実施の形態を図１から図７を用いて説明する。
【００１４】
図１は、本発明の実施の形態に係る電子新聞における広告表示記録管理方法を適用した電子新聞広告表示記録管理システムの一例を示す構成概念図である。
【００１５】
すなわち、本発明の実施の形態に係る電子新聞における広告表示記録管理方法を適用した電子新聞広告表示記録管理システム１は、電子新聞データベース（電子新聞ＤＢ）２と、電子新聞サーバ３と、電子新聞クライアント端末４とを備えている。
【００１６】
電子新聞ＤＢ２は、ＣＤ−ＲＯＭやインターネットなどの形態で電子媒体として提供される過去から現在までの電子新聞データを、日付および朝刊／夕刊別に格納している。この電子新聞データのデータ形式は、例えばＰＤＦ形式のような汎用的なデータ形式であり、新聞製作システム５で製作された製作新聞データ６をデータ変換することによって作成する。
【００１７】
なお、新聞製作システム５は、毎日発行する新聞紙面を製作するための既存システムであり、記事や画像の入力、集信、加工、蓄積、あるいはレイアウト処理を実行し、その結果を製作新聞データ６として保管する。そして、新聞を印刷する場合には、この製作新聞データ６から新聞紙面印刷用版下７を作成し、この新聞紙面印刷用版下７に基づいて新聞を印刷する。
【００１８】
図２は、製作新聞データ６のデータ構成例を示すものであり、製作新聞データ６は、紙面＃１の製作新聞データ６（＃１）、紙面＃２の製作新聞データ６（＃２）など、紙面毎に製作新聞データ６が存在する。
【００１９】
また、図３は、電子新聞データ９のデータ構成例を示すものであり、紙面＃１の紙面データファイル１０（＃１）、紙面＃２の紙面データファイル１０（＃２など、紙面毎に紙面データファイル１０が存在し、各紙面データファイル１０は、更に、管理情報ＫＮと、表示用データＨＪとを備えている。
【００２０】
図４は、管理情報ＫＮの詳細なデータ構成例を示すものであり、また図５は、表示用データＨＪの詳細なデータ構成例を示すものである。管理情報ＫＮは、素材毎に素材ＩＤ、素材種別、広告種別、配置領域情報を書き込む。表示用データＨＪは、素材ＩＤ毎に表示用データを書き込む。
【００２１】
電子新聞サーバ３は、画面表示処理部３１と、広告表示回数記録部３２とを備えている。画面表示処理部３１は、電子新聞クライアント端末４からの要求に基づいて、電子新聞ＤＢ２に格納されている電子新聞データ９を取得する。そして、要求元の電子新聞クライアント端末４からの表示情報（拡大／縮小、スクロール等の表示情報）に基づいて、要求元の電子新聞クライアント端末４に電子新聞データ９を表示させる。そして、この表示情報に基づいて、図６のフローチャートに示すように動作し、電子新聞クライアント端末４に表示された広告を認識するとともに、この広告が表示されたことを示す記録である図７に示すような電子新聞広告表示回数記録データを広告表示回数記録部３２に蓄積させる。
【００２２】
電子新聞クライアント端末４は、閲覧したい電子新聞データの検索条件を電子新聞サーバ３側に出力する。この検索条件としては、新聞の日付および朝刊／夕刊の指定からなる。そして、この検索条件に従って電子新聞サーバ３が電子新聞ＤＢ２から取得した電子新聞データ９を読み込む。更に、電子新聞サーバ３側に、この電子新聞データ９の表示方法を要求する情報である表示情報を出力する。この表示情報とは、電子新聞クライアント端末４から表示されている電子新聞データ９を拡大表示するか縮小表示するかの拡大／縮小要求、更にはスクロール方向（上下左右）の指定等からなる。このように表示情報を出力することによって、電子新聞上の記事や広告等を所望の環境で表示する。
【００２３】
このような電子新聞クライアント端末４は、利用者が自己のパソコンを、インターネット等の回線を介して電子新聞サーバ３に接続することによって実現できるようにしている。なお、図１では、電子新聞サーバ３には、１台の電子新聞クライアント端末４のみしか接続していないが、電子新聞サーバ３に接続される電子新聞クライアント端末４は何台であっても良い。
【００２４】
次に、以上のように構成した本実施の形態に係る電子新聞における広告表示記録管理方法を適用した電子新聞広告表示記録管理システムの画面表示処理部３１においてなされる動作を図６に示すフローチャートを用いて説明する。
【００２５】
まず、画面表示処理部３１には、電子新聞クライアント端末４から、電子新聞ＤＢ２に格納されている電子新聞データ９の中から、電子新聞データ９の指定入力がなされる（Ｓ１）。この指定入力は、ユーザが、電子新聞クライアント端末４から新聞の発行日、朝刊／夕刊、および紙面を指定することによってなされる。
【００２６】
ステップＳ１でなされた指定入力に基づいて、電子新聞ＤＢ２から、該当する電子新聞データ９の紙面データファイル１０（＃１，＃２，・・）（図３参照）、およびその管理情報（図４参照）が、画面表示処理部３１によって読み出される（Ｓ２）。
【００２７】
次に、電子新聞クライアント端末４から表示する電子新聞データ９の領域を指定する表示領域の指定入力がなされる（Ｓ３）。そして、ステップＳ２で読み出された管理情報の中から、ステップＳ３で入力された表示領域に入る素材の先頭素材が処理対象とされる（Ｓ４）。これは、管理情報の中の配置領域情報（ｘ１，ｘ２，ｙ１，ｙ２）が参照され、ステップＳ３でなされた表示領域の範囲に入る素材を対象に行われる。
【００２８】
処理対象とされた素材の広告種別が「広告」である場合（Ｓ５：Ｙｅｓ）には、更に、この広告が表示領域に完全に含まれているか否かが、この広告の配置領域情報（ｘ１，ｘ２，ｙ１，ｙ２）が参照されることによって判定される（Ｓ６）。そして、この広告が表示領域に完全に含まれている場合（Ｓ６：Ｙｅｓ）には、画面表示処理部３１によって、電子新聞クライアント端末４から、この広告が表示される（Ｓ７）。
【００２９】
このようにして、電子新聞クライアント端末４から広告が表示されると、画面表示処理部３１によって、広告表示回数記録部３２に、図７に示すようにして素材情報のレコードＲ（＃１，＃２，・・）が蓄積される（Ｓ８）。
【００３０】
そして、ステップＳ３で指定された表示領域に含まれる全ての素材についてステップＳ５からステップＳ８の処理がなされた場合（Ｓ９：Ｙｅｓ）には、処理が終了する。一方、そうでない場合（Ｓ９：Ｎｏ）には、次の素材が対象とされ（Ｓ１０）、ステップＳ５に戻って、以降の処理がなされる。
【００３１】
一方、ステップＳ６において、処理対象としている広告が表示領域にその一部しか含まれていない場合（Ｓ６：Ｎｏ）には、表示領域外の広告がマスクされて（表示されないようにされて）、表示領域のみが、電子新聞クライアント端末４から表示される（Ｓ１１）。
【００３２】
更にまた一方、ステップＳ５において、処理対象とされた素材の広告種別が「非広告」である場合（Ｓ５：Ｎｏ）には、この素材が表示領域に完全に含まれているか否かが、この素材の配置領域情報が参照されることによって判定される（Ｓ１２）。そして、この素材が表示領域に完全に含まれている場合（Ｓ１２：Ｙｅｓ）には、画面表示処理部３１によって、電子新聞クライアント端末４から、この素材が表示され（Ｓ１３）、ステップＳ９に移行し、以降の処理が行われる。
【００３３】
一方、処理対象としている素材が表示領域にその一部しか含まれていない場合（Ｓ１２：Ｎｏ）には、表示領域外の素材がマスクされて（表示されないようにされて）、表示領域のみが、電子新聞クライアント端末４から表示され（Ｓ１４）、ステップＳ９に移行し、以降の処理が行われる。
【００３４】
本発明の実施の形態に係る電子新聞における広告表示記録管理方法を適用した電子新聞広告表示記録管理システムは、上述したように動作することによって、電子新聞クライアント端末４に広告が表示された場合には、広告表示回数記録部３２に、その表示がなされた広告および表示年月日等の記録がレコードＲ（＃１，＃２，・・）として蓄積される。したがって、広告表示回数記録部３２に蓄積されたレコードＲ（＃１，＃２，・・）を参照することによって、どの広告がいつ表示されたかのみならず、その広告が掲載された新聞の発行日、朝刊／夕刊の別、紙面、掲載場所等を把握することができる。
【００３５】
なお、本発明は上記実施の形態に限定されるものではなく、次のようにしても同様に実施できるものである。
【００３６】
すなわち、上記実施の形態では、画面表示処理部３１と広告表示回数記録部３２とを電子新聞サーバ３に備えた構成について説明したが、画面表示処理部３１と広告表示回数記録部３２とは電子新聞サーバ３に備える構成に限られるものではなく、電子新聞クライアント端末４に備えるようにしてもよい。この場合、電子新聞サーバ３は、電子新聞クライアント端末４からの指示に従って電子新聞ＤＢ２から、指定された電子新聞データ９を取り出し、取り出した電子新聞データ９を電子新聞クライアント端末４に渡すだけの機能を備えるだけでよい。このような構成とすることによっても、上記実施の形態で説明したものと同様の作用を奏することができる。
【００３７】
上述したように、本実施の形態に係る電子新聞における広告表示記録管理方法を適用した電子新聞広告表示記録管理システムにおいては、上記のような作用により、電子新聞クライアント端末４の画面上に広告が表示された場合には、広告表示回数記録部３２に、その表示がなされた広告および表示年月日等を記録したレコードＲ（＃１，＃２，・・）を蓄積することができる。
【００３８】
したがって、広告表示回数記録部３２に蓄積されたレコードＲ（＃１，＃２，・・）を参照することによって、どの広告がいつ表示されたかのみならず、その広告が掲載された新聞の発行日、紙面、朝刊／夕刊の別、紙面、掲載場所等をも把握することができる。
【００３９】
更に、この蓄積されたレコードＲ（＃１，＃２，・・）を分析することによって、効果的な新聞広告の企画に役立てることが可能となる。
【００４０】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００４１】
【発明の効果】
以上説明したように、本発明によれば、電子新聞上に掲載された広告が閲覧された場合には、この広告を識別し、更にこの広告に関する閲覧記録を蓄積することができる。
【００４２】
更に、この蓄積された記録を分析することによって、効果的な新聞広告の企画に役立てることが可能な電子新聞における広告表示記録管理方法および広告表示記録管理システムを実現することができる。
【図面の簡単な説明】
【図１】本発明の実施の形態に係る電子新聞における広告表示記録管理方法を適用した電子新聞広告表示記録管理システムの一例を示す構成概念図
【図２】製作新聞データの一例を示すデータ構成図
【図３】電子新聞データの一例を示すデータ構成図
【図４】管理情報の一例を示すデータ構成図
【図５】表示用データの一例を示すデータ構成図
【図６】本実施の形態に係る電子新聞における広告表示記録管理方法を適用した電子新聞広告表示記録管理システムの画面表示処理部においてなされる動作を示すフローチャート
【図７】広告表示回数記録部に蓄積されるレコードの一例を示すデータ構成図
【符号の説明】
１…電子新聞広告表示記録管理システム
２…電子新聞データベース
３…電子新聞サーバ
４…電子新聞クライアント端末
５…新聞製作システム
６…製作新聞データ
７…新聞紙面印刷用版下
９…電子新聞データ
１０…紙面データファイル
３１…画面表示処理部
３２…広告表示回数記録部
【図１】
0003998457.tif 000002
【図２】
0003998457.tif 000003
【図３】
0003998457.tif 000004
【図４】
0003998457.tif 000005
【図５】
0003998457.tif 000006
【図６】
0003998457.tif 000007
【図７】
0003998457.tif 000008